(57)【要約】【課題】用途を変更して眼底撮影をする場合に、正確に固視目標に関する設定を可能とする。【解決手段】撮影者はステップＳ１において眼科、成人病検診の何れかの用途を選択し、Ｓ２において前眼部の観察を行いＳ３の眼底観察に移る。Ｓ４において眼科が選択されている場合にはＳ５に進み、用途別固視目標設定記憶手段に記憶されている固視目標を提示し、成人病検診が選択されている場合にはＳ６に進み、用途別固視目標設定記憶手段に記憶されている固視目標を提示し被検眼の誘導を行う。眼科が選択されている場合には、Ｓ７において固視目標移動操作スイッチの操作があると、Ｓ８において液晶表示手段の開口部を移動する。成人病検診が選択されている場合には固視目標の提示位置は固定されているため、固視目標移動操作を無効とする。続いてＳ９において、撮影スイッチを操作することにより眼底撮影を行う。【選択図】　　　　図６
2004024470.tif 000002
【特許請求の範囲】
【請求項１】
被検眼の視線を誘導する固視目標と、用途設定手段と、該用途設定手段により設定される用途に応じた前記固視目標の移動操作方法を記憶する固視目標移動方法記憶手段と、前記用途設定手段により設定された用途に応じた前記固視目標移動方法記憶手段に記憶されている前記固視目標移動方法に従って前記固視目標を移動する固視目標移動制御手段とを有することを特徴とする眼科撮影装置。
【請求項２】
被検眼の視線を誘導する固視目標と、用途設定手段と、該用途設定手段により設定される用途に応じた前記固視目標の提示位置を記憶する固視目標提示位置記憶手段と、前記用途設定手段により設定された用途に応じた前記固視目標提示位置記憶手段に記憶されている前記固視目標提示位置に前記固視目標を提示する固視目標提示位置変更手段とを有することを特徴とする眼科撮影装置。
【発明の詳細な説明】
【０００１】
【発明の属する技術分野】
本発明は、眼科医院や集団検診等で使用される眼科撮影装置に関するものである。
【０００２】
【従来の技術】
従来から眼底撮影装置では、被検眼の視線を誘導するための固視目標が設けられており、例えば次のような固視目標に関する設定がある。
【０００３】
病院等の眼科における眼底撮影の場合には、患者毎に異なる眼科疾患部位を撮影することが多い。そのため、診断に最も有効な部位が撮影できるように固視目標を移動し、被検眼の視線を誘導して撮影している。これに対して、集団検診における眼底撮影の場合には、検診の目的に応じて撮影部位が決定しており、固視目標を移動することはない。
【０００４】
従って、眼科における眼底撮影の場合には固視目標の移動を有効とし、集団検診における眼底撮影の場合には固視目標の移動を無効としている。
【０００５】
また、集団検診における眼底撮影の場合には、検診目的毎に撮影部位が異なるため固視目標の位置も異なる。例えば、成人病検診における眼底撮影の場合には、被検眼の視神経乳頭と黄斑の中心が画像中心となるような位置に固視目標を提示している。
【０００６】
緑内障検診における眼底撮影の場合には、被検眼の視神経乳頭が画像中心となるような位置に固視目標を提示している。黄斑変性症検診における眼底撮影の場合には、黄斑が画像中心となるような位置に固視目標を提示している。このように、成人病検診における眼底撮影、緑内障検診における眼底撮影、黄斑変性症診等における眼底撮影等の用途に応じた位置に固視目標を提示している。
【０００７】
【発明が解決しようとする課題】
しかしながら上述の従来例においては、眼科における眼底撮影と集団検診における眼底撮影、更に集団検診においても成人病検診、緑内障検診、黄斑変性症検診の用途を変更して眼底撮影をする場合には、固視目標に関する複数の設定を再設定する必要があり、撮影者に手間を掛けさせてしまい、極めて煩わしいという問題点がある。更に、固視目標に関する設定に設定漏れがあった場合には、予期できない誤操作を招く虞れを有している。
【０００８】
本発明の目的は、上述の問題点を解消し、眼科における眼底撮影、成人病検診、緑内障検診、黄斑変性症検診における眼底撮影等の用途を変更して眼底撮影をする場合に、容易かつ設定漏れがなく、固視目標に関する設定を簡便に行うことが可能な眼科撮影装置を提供することにある。
【０００９】
【課題を解決するための手段】
上記目的を達成するための本発明に係る眼科撮影装置は、被検眼の視線を誘導する固視目標と、用途設定手段と、該用途設定手段により設定される用途に応じた前記固視目標の移動操作方法を記憶する固視目標移動方法記憶手段と、前記用途設定手段により設定された用途に応じた前記固視目標移動方法記憶手段に記憶されている前記固視目標移動方法に従って前記固視目標を移動する固視目標移動制御手段とを有することを特徴とする。
【００１０】
また、本発明に係る眼科撮影装置は、被検眼の視線を誘導する固視目標と、用途設定手段と、該用途設定手段により設定される用途に応じた前記固視目標の提示位置を記憶する固視目標提示位置記憶手段と、前記用途設定手段により設定された用途に応じた前記固視目標提示位置記憶手段に記憶されている前記固視目標提示位置に前記固視目標を提示する固視目標提示位置変更手段とを有することを特徴とする。
【００１１】
【発明の実施の形態】
本発明を図示の実施の形態に基づいて詳細に説明する。
図１は本実施の形態の眼科撮影装置の構成図を示し、被検眼Ｅの前方の光路Ｏ１上には、対物レンズ１、光路Ｏ１に挿脱自在な前眼部観察レンズ２、孔部に撮影絞り３ａを有する孔あきミラー３、光路Ｏ１に沿って移動して焦点を調整するフォーカスレンズ４、撮影レンズ５、可視光を反射し赤外光を透過する切換ミラー６、撮像手段７が順次に配列されている。また、対物レンズ１の近傍には赤外光を発する前眼部照明用光源８が配置されている。
【００１２】
孔あきミラー３の反射方向の光路Ｏ２上には、眼底照明系９が配置されており、眼底照明系９は眼底観察時には赤外光を被検眼Ｅの眼底Ｅｒに照射し、眼底撮影時には可視光を眼底Ｅｒに照射する。また、切換ミラー６の反射方向の光路Ｏ３上には、眼底Ｅｒと略共役位置に固視目標を表示する液晶表示手段１０と、この液晶表示手段１０を背後から可視光により照明する照明用光源１１が配置されている。
【００１３】
図２は液晶表示手段１０の概略図を示しており、個々に透過／不透過を設定可能な液晶から成る複数個のセルが、マトリックス状に配置されている。透過と設定されたセルを開口部Ａ、不透過と設定されたセルを遮光部Ｂとすると、照明用光源１１から発した光の内、開口部Ａを透過した光は切換ミラー６により反射され、撮影レンズ５、フォーカスレンズ４、孔あきミラー３の孔部、対物レンズ１を通過し、被検眼Ｅの瞳孔Ｅｐを介して眼底Ｅｒに達する。即ち、対物レンズ１の光路Ｏ１上に瞳孔Ｅｐを配置した被検者には、暗黒の背景の中に開口部Ａの像が固視目標として提示される。
【００１４】
撮像手段７の出力は画像制御手段１２を介してテレビモニタ１３に接続され、更に画像制御手段１２の出力は装置全体を制御するための機能制御手段１４に接続されている。この機能制御手段１４には、液晶表示手段１０、固視目標の提示位置つまり液晶表示手段１０の開口部Ａの位置を制御するための固視目標移動操作スイッチ１５、光路Ｏ１へ前眼部観察レンズ２の挿脱を制御する前眼部／眼底切換スイッチ１６、左右眼切換検知スイッチ１７、撮影スイッチ１８、メモリ１９、眼科における眼底撮影、成人病検診、緑内障検診、黄斑変性症検診等の用途を選択する用途選択手段２０、この用途に応じた固視目標の移動操作及び提示位置に関する設定を記憶する用途別固視目標設定記憶手段２１が接続されている。
【００１５】
次の表１は用途別固視目標設定記憶手段２１の概略図を示しており、眼科における眼底撮影の場合には、診断に最も有効な部位が撮影できるように、固視目標を移動して被検眼Ｅの視線を誘導するため、固視目標移動操作スイッチ１５による固視目標の移動操作を有効とする。また、成人病検診、緑内障検診、黄斑変性症検診等の集団検診における眼底撮影の場合には、診断用途に応じて撮影部位が決定していて固視目標を移動する必要はないため、固視目標の移動操作を無効とするように設定記憶されている。
【００１６】
2004024470.tif 000003
【００１７】
眼科撮影装置の光学設計値及び標準的な眼の光学データにより、液晶表示手段１０における固視目標提示位置と、撮像手段７の撮像面に結像する眼底像上の黄斑ｍとの位置の関係が得られる。この関係より、用途に応じた固視目標の提示位置を設定する。
【００１８】
図３は成人病検診における眼底撮影の概略図を示しており、成人病検診における眼底撮影においては、視神経乳頭ｄと黄斑ｍの距離の１／２だけ画像中心ｃからずらした位置に黄斑ｍが位置するように、前述の固視目標提示位置と眼底像上の黄斑ｍの位置の関係から固視目標提示位置を計算する。被検者がこの計算した位置に提示された固視目標を注視することにより、画像中心ｃが被検眼Ｅの視神経乳頭ｄと黄斑ｍの中心となる。
【００１９】
図４は緑内障検診における眼底撮影の概略図を示しており、緑内障検診における眼底撮影では、視神経乳頭ｄと黄斑ｍの距離だけ画像中心ｃからずらした位置に黄斑ｍが位置するように、前述の固視目標提示位置と眼底像上の黄斑ｍの位置の関係から固視目標提示位置を計算する。被検者がこの計算した位置に提示された固視目標を注視することにより、被検眼Ｅの視神経乳頭ｄが画像中心ｃとなる。
【００２０】
図５は黄斑変性症検診における眼底撮影の概略図を示しており、黄斑変性症検診における眼底撮影では、画像中心ｃに黄斑ｍが位置するように、固視目標提示位置と眼底像上の黄斑ｍの位置の関係から固視目標提示位置を計算する。被検者がこの計算した位置に提示された固視目標を注視することにより、被検眼Ｅの黄斑ｍが画像中心ｃとなる。なお、用途別固視目標設定記憶手段２１には、表１に示すようにこれらの用途に応じた固視目標の提示位置が設定記憶されている。
【００２１】
このように、固視目標提示位置は右眼、左眼でそれぞれ個別に設定されている。なお、眼科における眼底撮影における固視目標提示位置は、固視目標を移動することを前提としているため、任意の位置に設定してもよい。
【００２２】
このような構成の眼科撮影装置において、撮影者が眼底像を撮影する際の手順を、図６に示すフローチャート図により説明する。先ず、図示しない電源スイッチを操作し、眼科撮影装置本体の動作を開始させ、撮影者はステップＳ１において眼科における眼底撮影、成人病検診における眼底撮影、緑内障検診における眼底撮影、黄斑変性症検診における眼底撮影等の用途を選択する。また、この選択された用途はメモリ１９に記憶される。
【００２３】
ステップＳ１の用途選択が終了すると、ステップＳ２の前眼部の観察を行う。この前眼部観察状態においては、光路Ｏ１内に前眼部観察レンズ２が挿入され、切換ミラー６は光路Ｏ１内に配置されており、この状態において前眼部照明用光源８から発した赤外光により照明された前眼部像は、対物レンズ１、前眼部観察レンズ２、孔あきミラー３の孔部、フォーカスレンズ４、撮影レンズ５を通過し、撮像手段７の撮像面に結像した後に、映像信号に変換され、画像制御手段１２を介してテレビモニタ１３に映し出される。
【００２４】
撮影者はテレビモニタ１３に映し出された映像を見ながら、図示しない操作桿を操作し、これから撮影する眼、例えば右眼に位置合わせすると、左右眼切換検知スイッチ１７の出力により機能制御手段１４は右眼に位置合わせされていると判定する。
【００２５】
図７は左右眼切換検知スイッチ１７の説明図を示しており、基台３１の上部にはステージ３２が載置され、ステージ３２の下面に左右眼切換検知スイッチ１７が固定されており、ステージ３２は左右方向に移動するように構成されている。ステージ３２を左右方向に移動すると、左右眼切換検知スイッチ１７のオン／オフが切換わるようになっている。
【００２６】
左右眼の位置合わせが完了し、前眼部／眼底切換スイッチ１６を操作するとステップＳ３の眼底観察に移る。この眼底観察状態においては、前眼部照明用光源８が消灯し、前眼部観察用レンズ７は光路Ｏ１外に退避し、切換ミラー６は光路Ｏ１内に配置され、眼底照明系９から赤外光が発せられる。
【００２７】
眼底照明系９を発した赤外光は、孔あきミラー３の周辺のミラー部において反射し、対物レンズ１を介して瞳孔Ｅｐから眼底Ｅｒを照明する。照明された眼底像は、瞳孔Ｅｐから対物レンズ１、孔あきミラー３の孔部、フォーカスレンズ４、撮影レンズ５、切換ミラー６を通過し、撮像手段７の撮像面に結像して映像信号に変換された後に、画像制御手段１２を介してテレビモニタ１３に映し出される。また、この眼底観察状態においては、左右眼の何れに位置合わせされているか、及びステップＳ１において選択された用途に応じて、用途別固視目標設定記憶手段２１に記憶されている固視目標提示位置に固視目標を提示する。
【００２８】
続いてステップＳ４において、用途として眼科における眼底撮影が選択されている場合にはステップＳ５に進み、用途別固視目標設定記憶手段２１に記憶されている眼科における眼底撮影における右眼の固視目標提示位置（ＲＸ１，ＲＹ１）を、液晶表示手段１０の開口部Ａとし、それ以外の部分を遮光部Ｂとし、照明用光源１１を点灯し、固視目標を提示し、被検眼Ｅの誘導を行う。
【００２９】
また、用途として成人病検診における眼底撮影が選択されている場合にはステップＳ６に進み、用途別固視目標設定記憶手段２１に記憶されている成人病検診における眼底撮影における右眼の固視目標提示位置（ＲＸ２，ＲＹ２）を、液晶表示手段１０の開口部Ａとし、それ以外の部分を遮光部Ｂとし、照明用光源１１を点灯して固視目標を提示し被検眼Ｅの誘導を行う。
【００３０】
なお、緑内障検診における眼底撮影、黄斑変性症検診における眼底撮影に関しては、図６のフローチャート図では省略しているが、成人病検診と同様に、用途別固視目標設定記憶手段２１に記憶されている対応する用途の固視目標提示位置（右眼）を、液晶表示手段１０の開口部Ａとし、それ以外の部分を遮光部Ｂとし、照明用光源１１を点灯し固視目標を提示する。このような眼底観察状態において、図示しない操作桿により本体光学系と被検眼Ｅの眼底Ｅｒとの上下左右位置及び作動距離の詳細な位置合わせを行うと共に、フォーカスレンズ４を光路Ｏ１に沿って移動させ焦点を合わせる。
【００３１】
用途として眼科における眼底撮影が選択されている場合には、ステップＳ７において固視目標移動操作スイッチ１５の操作があった場合には、ステップＳ８において液晶表示手段１０の開口部を移動することにより、固視目標を移動させて被検眼Ｅの視線を誘導する。一方、用途として成人病検診における眼底撮影が選択されている場合には、固視目標の提示位置は固定されているため、固視目標移動操作スイッチ１５の操作を無効とする。
【００３２】
緑内障検診における眼底撮影、黄斑変性症検診における眼底撮影に関しては、成人病検診と同様に固視目標移動操作スイッチ１５の操作を無効とする。そして、被検眼Ｅの視線をこの固定された固視目標提示位置に誘導する。
【００３３】
詳細な位置合わせ、ピント合わせ、被検眼Ｅの誘導が完了すると、ステップＳ９において、撮影スイッチ１８を操作することにより眼底撮影を行う。撮影者が撮影スイッチ１８を操作すると、切換ミラー６は光路Ｏ１外に退避し、撮像手段７は静止画撮影のための光蓄積を開始すると共に、眼底照明系９は可視光を発し、被検眼Ｅの眼底Ｅｒは前述の赤外光の場合と同様に、この可視光により照明される。このように照明された眼底像は、前述の赤外光の場合と同様の経路を通って撮像手段７に結像し、その静止画像は画像制御手段１２によりデジタルデータに変換され、画像制御手段１２中の画像メモリに保存され、テレビモニタ１３に表示される。
【００３４】
なお、本実施の形態においては、液晶表示手段１０の１セルのみを開口部Ａとして固視目標を提示したが、複数セルを開口部Ａとして固視目標を提示してもよい。更に、複数セルを開口部Ａとすることにより、任意の形状の固視目標を提示することも可能である。
【００３５】
また、本実施の形態においては、液晶表示手段１０及び照明用光源１１を用いて固視目標を提示、移動したが、ＬＥＤから成る固視目標光源及び固視目標光源の位置を制御するモータ等により固視目標を提示、移動することもできる。
【００３６】
更に、電源投入直後に用途選択手段２０により、眼科における眼底撮影、成人病検診、緑内障検診、黄斑変性症検診の用途を選択したが、電源投入直後以外においても、用途を選択できるようにしてもよい。
【００３７】
なお、メモリ１９を不揮発メモリとし、選択した用途を不揮発メモリに記憶しておくことにより、電源スイッチを操作し本体の動作を開始したときに、用途の選択をすることなく、前回選択した用途の固視目標の移動操作及び提示位置に関する設定を行うこともできる。
【００３８】
上述の処理の殆どがプログラムによって実現できるので、本発明では前述した実施形態の機能を実現するソフトウェアのプログラムコードを記録した記憶媒体をシステム或いは装置に供給し、そのシステム或いは装置のコンピュータ（ＣＰＵ又はＭＰＵ）が記憶媒体に格納されたプログラムコードを読み出し実行することによっても実現できることは勿論である。
【００３９】
この場合に、記憶媒体から読み出されたプログラムコード自体が前述した実施形態の機能を実現することになり、そのプログラムコードを記憶した記憶媒体が本発明を構成することになる。プログラムコードを供給するための記憶媒体としては、フロッピディスク、ハードディスク、光ディスク、光磁気ディスク、ＣＤ−ＲＯＭ、磁気テープ、不揮発性のメモリカード、ＲＯＭ等を用いることが可能である。
【００４０】
本実施の形態においては、眼底カメラについて説明したが、スリットランプにおいても同様に構成することが可能である。
【００４１】
【発明の効果】
以上説明したように本発明に係る眼科撮影装置は、眼科における眼底撮影、成人病検診における眼底撮影、緑内障検診における眼底撮影、黄斑変性症検診における眼底撮影等の用途を選択する用途選択手段及び用途に応じた固視目標の移動操作及び提示位置に関する設定し、記憶する用途別固視目標設定記憶手段を設けることにより、用途を変更して眼底撮影をする場合に、用途を選択するのみで固視目標の移動操作、提示位置等に関する設定を行うことが可能となる。これにより、固視目標の移動操作、提示位置といった複数の設定を変更する必要がなくなるため、容易にかつ短時間で設定を変更することができる。
【図面の簡単な説明】
【図１】眼底眼科撮影装置の構成図である。
【図２】液晶表示手段の正面図である。
【図３】成人病検診における眼底撮影の説明図である。
【図４】緑内障検診における眼底撮影の説明図である。
【図５】黄班変性症検診における眼底撮影の説明図である。
【図６】眼底撮影のフローチャート図である。
【図７】左右眼切換検知スイッチの説明図である。
【符号の説明】
１　対物レンズ
２　前眼部観察レンズ
３　孔あきミラー
４　フォーカスレンズ
５　撮影レンズ
６　切換ミラー
７　撮像手段
８　前眼部照明用光源
９　眼底照明系
１０　液晶表示手段
１１　照明用光源
１２　画像制御手段
１３　テレビモニタ
１４　機能制御手段
１５　固視目標移動スイッチ
１６　前眼部／眼底切換スイッチ
１７　左右眼切換検知スイッチ
１８　撮影スイッチ
１９　用途選択手段
２０　用途別固視目標設定記憶手段
２１　メモリ
２２　基台
２３　ステージ
【図１】
2004024470.tif 000004
【図２】
2004024470.tif 000005
【図３】
2004024470.tif 000006
【図４】
2004024470.tif 000007
【図５】
2004024470.tif 000008
【図６】
2004024470.tif 000009
【図７】
2004024470.tif 000010